(57)【要約】【課題】レンズ群の調芯により収差の発生を抑制できる投写レンズを提供すること。【解決手段】投写レンズ３は、１枚または複数枚のレンズからなる複数のレンズ群ＬＧ１〜ＬＧ７と、複数のレンズ群ＬＧ１〜ＬＧ７のそれぞれを外周側から支持する鏡筒３１とを有する。鏡筒３１は、拡大側の端に位置する第１レンズ群ＬＧ１を光軸Ｘと直交する方向に変位可能としている第１仮保持機構４０と、第１仮保持機構４０に塗布されて第１レンズ群ＬＧ１を変位不能に固定した第１接着剤４１と、縮小側の端に位置する第７レンズ群ＬＧ７を光軸Ｘと直交する方向に変位可能としている第２仮保持機構５９と、第２仮保持機構５９に塗布されて第７レンズ群ＬＧ７を変位不能に固定した第２接着剤６０と、を備える。【選択図】図５
2019132942.tif 000002
【特許請求の範囲】
【請求項１】
１枚または複数枚のレンズからなる複数のレンズ群と、前記複数のレンズ群のそれぞれを外周側から支持する鏡筒と、を有する投写レンズにおいて、
前記鏡筒は、最も拡大側に位置する第１レンズ群を外周側から保持する第１レンズ群保持筒と、最も縮小側に位置する最終レンズ群を外周側から保持する最終レンズ群保持筒と、前記第１レンズ群保持筒および前記最終レンズ群保持筒を外周側から保持する外筒と、前記第１レンズ群を光軸と直交する方向に変位可能としている第１仮保持機構と、前記第１レンズ群保持筒と前記外筒とを接着して前記第１レンズ群を変位不能とした第１接着剤と、前記最終レンズ群を光軸と直交する方向に変位可能としている第２仮保持機構と、前記第２レンズ群保持筒と外筒とを接着して前記最終レンズ群を変位不能とした第２接着剤と、を備えることを特徴とする投写レンズ。
【請求項２】
前記第１仮保持機構は、前記第１レンズ群を、前記光軸方向に変位可能および前記光軸と直交する面に対して傾斜する方向に変位可能とすることを特徴とする請求項１に記載の投写レンズ。
【請求項３】
前記第１レンズ群保持筒は、前記第１レンズ群を保持する保持筒本体を備え、
前記外筒は前記保持筒本体を外周側から保持する支持筒を備え、
前記第１仮保持機構は、前記保持筒本体の外周面において前記支持筒と対向する保持筒本体側外周面部分と、前記支持筒の内周面において前記保持筒本体側外周面部分と対向する支持筒側内周面部分と、前記保持筒本体側外周面部分および前記保持筒本体側外周面部分の一方に設けられて前記光軸回りの周方向に延びる第１円弧溝と、他方に設けられて前記第１円弧溝に挿入された第１突起と、を備え、
前記保持筒本体側外周面部分と前記支持筒側内周面部分との間には、隙間が設けられており、
前記第１円弧溝の底面と前記第１突起の先端との間には、隙間が設けられており、
前記第１突起と、前記第１円弧溝において光軸方向で対向する一対の側壁面のうちの少なくとも一方の側壁面との間には、隙間が設けられており、
前記第１接着剤は、前記保持筒本体と前記支持筒とを固定していることを特徴とする請求項２に記載の投写レンズ。
【請求項４】
前記外筒には前記第１レンズ群保持筒を移動させるヘリコイド機構を有し、
前記ヘリコイド機構は、前記支持筒の外周面に設けられた雄ねじと、対向する内周面に設けられて前記雄ねじと螺合する雌ねじと、を備えることを特徴とする請求項３に記載の投写レンズ。
【請求項５】
前記第２仮保持機構は、前記最終レンズ群保持筒の外周面において前記外筒に対向する保持筒側外周面部分と、前記外筒の内周面において前記保持筒側外周面部分と対向する外筒側内周面部分と、前記保持筒側外周面部分および前記外筒側内周面部分の一方に設けられて前記光軸回りの周方向に延びる第２円弧溝と、他方に設けられて前記第２円弧溝に挿入された第２突起と、を備え、
前記保持筒側外周面部分および前記外筒側内周面部分との間には隙間が設けられており、
前記第２円弧溝の底面と前記第２突起の先端との間には、隙間が設けられており、
前記光軸方向で対向する前記第２円弧溝の一対の側壁面と前記第２突起とは、接触し、
前記第２接着剤は、前記最終レンズ群保持筒と前記外筒とを固定していることを特徴とする請求項４に記載の投写レンズ。
【請求項６】
前記第２円弧溝は、前記外筒側内周面部分に設けられており、
前記第２突起は、前記保持筒側外周面部分に設けられており、
前記外筒側内周面部分は、前記第２突起を前記第２円弧溝内に導入するための導入溝を備え、
前記導入溝は、前記第２円弧溝の周方向の一部分から前記光軸方向を前記縮小側に向かって延びて前記外筒の前記縮小側の端縁で開口することを特徴とする請求項５に記載の投写レンズ。
【請求項７】
前記外筒は、前記光軸と直交する径方向から見た場合に前記最終レンズ群保持筒と重なる部分に前記第２接着剤を注入するための接着剤用貫通穴を備えることを特徴とする請求項５または６に記載の投写レンズ。
【請求項８】
前記外筒は、前記光軸と直交する径方向から見た場合に前記保持筒側外周面部分と重なる部分に調芯ピンを挿入するための調芯ピン用貫通穴を備え、
前記保持筒側外周面部分は、前記径方向から見た場合に前記調芯ピン用貫通穴と重なる位置に平坦面を備えることを特徴とする請求項５から７のうちのいずれか一項に記載の投写レンズ。
【請求項９】
前記外筒は、前記縮小側の端縁に周方向に延びる円弧の切欠き部を備え、
前記最終レンズ群保持筒は、外周側に突出して前記切欠き部に挿入された凸部を備えることを特徴とする請求項５から８のうちのいずれか一項に記載の投写レンズ。
【請求項１０】
前記光軸方向で前記第１レンズ群と前記最終レンズ群との間に位置する中間レンズ群を備え、
前記鏡筒は、前記中間レンズ群を外周側から保持する中間レンズ群保持筒と、前記中間レンズ群保持筒と前記外筒との間に位置して当該中間レンズ群保持筒を前記光軸方向に移動可能に支持するカム筒と、備え、
前記中間レンズ群保持筒は、外側に突出する案内ピン、を備え、
前記カム筒は、周方向に向かって前記光軸方向に傾斜するカム孔を備え、
前記外筒は、前記カム筒を光軸回りに回転可能に支持するとともに、その内周面に光軸方向に延びる案内溝を備え、
前記案内ピンは、前記カム孔を貫通して前記案内溝の挿入されていることを特徴とする請求項３から９のうちのいずれか一項に記載の投写レンズ。
【請求項１１】
前記第２仮保持機構は、前記最終レンズ群を、前記光軸方向に変位可能および前記光軸と直交する面に対して傾斜する方向に変位可能とすることを特徴とする請求項１から４のうちのいずれか一項に記載の投写レンズ。
【請求項１２】
請求項１から１１のうちのいずれか一項に記載の投写レンズと、
画像表示素子と、を有し、
前記画像表示素子に表示した画像を投写レンズにより投写することを特徴とするプロジェクター。
【発明の詳細な説明】
【技術分野】
【０００１】
本発明は、鏡筒と鏡筒に保持された複数のレンズ群を備える投写レンズ、および、画像表示素子に表示した画像を投写レンズにより投写するプロジェクターに関する。
【背景技術】
【０００２】
鏡筒と鏡筒に保持された複数のレンズ群を備えるレンズユニットは特許文献１に記載されている。同文献のレンズユニットでは、鏡筒は、最も被写体側に位置する第１レンズ群を外周側から保持する保持枠と、第１レンズ群を除く他のレンズ群を外周側から保持する本体と、第１レンズ群の調芯を行うための調芯機構と、を備える。保持枠は、調芯機構を介して、本体の被写体側の端面に取り付けられている。調芯機構は、本体に対して保持枠を変位可能とする。
【先行技術文献】
【特許文献】
【０００３】
【特許文献１】特開２００２−１４２６７号公報
【発明の概要】
【発明が解決しようとする課題】
【０００４】
画像表示素子に表示した画像をスクリーンに投写するプロジェクターの投写レンズにおいても、拡大側の端に位置する第１レンズ群を調芯可能とすれば、収差の発生を抑制できる。しかし、第１レンズ群の調芯だけでは、収差の抑制が足りない場合がある。この場合には、レンズ感度低減設計や、各レンズ群を保持する鏡筒の部品精度の向上が必要となってしまう。
【０００５】
本発明の課題は、このような点に鑑みて、レンズ群の調芯によって収差の発生をより抑制できる投写レンズを提供することにある。また、かかる投写レンズによって画像を投写するプロジェクターを提供することにある。
【課題を解決するための手段】
【０００６】
上記の課題を解決するために、本発明は、１枚または複数枚のレンズからなる複数のレンズ群と、前記複数のレンズ群のそれぞれを外周側から支持する鏡筒と、を有する投写レンズにおいて、前記鏡筒は、最も拡大側に位置する第１レンズ群を外周側から保持する第１レンズ群保持筒と、最も縮小側に位置する最終レンズ群を外周側から保持する最終レンズ群保持筒と、前記第１レンズ群保持筒および前記最終レンズ群保持筒を外周側から保持する外筒と、前記第１レンズ群を光軸と直交する方向に変位可能としている第１仮保持機構と、前記第１レンズ群保持筒と前記外筒とを接着して前記第１レンズ群を変位不能とした第１接着剤と、前記最終レンズ群を光軸と直交する方向に変位可能としている第２仮保持機構と、前記第２レンズ群保持筒と外筒とを接着して前記最終レンズ群を変位不能とした第２接着剤と、を備えることを特徴とする。
【０００７】
本発明は、複数のレンズ群を外周側から支持する鏡筒が、第１レンズ群の変位を可能とする第１仮保持機構と、最終レンズ群の変位を可能とする第２仮保持機構とを備える。従って、投写レンズは、その製造工程において、第１レンズ群を変位させる調芯と、最終レンズ群を変位させる調芯とを行うことができる。これにより、第１レンズ群のみを変位させて調芯を行う場合と比較して、収差の発生を抑制することが可能となる。また、鏡筒は、第１レンズ群保持筒と外筒とを接着して第１レンズ群を変位不能とした第１接着剤と、最終レンズ群保持筒と外筒とを接着して最終レンズ群を変位不能とした第２接着剤とを備えるので、調芯を行った後に、第１レンズ群および最終レンズ群が変位することを防止できる。ここで、最終レンズ群を光軸と直交する方向に変位させる調芯（シフト調整）を行えば、投写する画像の中心付近の解像性能を向上させることができる。
【０００８】
本発明において、前記第１仮保持機構は、前記第１レンズ群を、前記光軸方向に変位可能および前記光軸と直交する面に対して傾斜する方向に変位可能とすることが望ましい。このようにすれば、第１レンズ群について、光軸と直交する方向に変位させる調芯（シフト調整）に加えて、光軸と直交する面に対して傾斜する方向に変位させる調芯（チルト調芯）、および、光軸方向に変位させる調芯（前後調整）を行うことができる。また、第１レンズ群に対してこれらの調芯を行えば、投写画像の像面倒れの発生の抑制でき、解像性能を向上させることができる。
【０００９】
本発明において、第１レンズ群および最終レンズ群を鏡筒に保持するためには、前記鏡筒は、前記第１レンズ群を外周側から保持する第１レンズ群保持筒と、前記最終レンズ群を外周側から保持する最終レンズ群保持筒と、前記第１レンズ群保持筒および前記最終レンズ群保持筒を外周側から保持する外筒と、を備えることが望ましい。
【００１０】
本発明において、前記第１レンズ群保持筒は、前記第１レンズ群を保持する保持筒本体と、前記外筒に保持されて前記保持筒本体を外周側から保持する支持筒と、を備え、前記第１仮保持機構は、前記保持筒本体の外周面において前記支持筒と対向する保持筒本体側外周面部分と、前記支持筒の内周面において前記保持筒本体側外周面部分と対向する支持筒側内周面部分と、前記保持筒本体側外周面部分および前記保持筒本体側外周面部分の一方に設けられて前記光軸回りの周方向に延びる第１円弧溝と、他方に設けられて前記第１円弧溝に挿入された第１突起と、を備え、前記保持筒本体側外周面部分と前記支持筒側内周面部分との間には、隙間が設けられており、前記第１円弧溝の底面と前記第１突起の先端との間には、隙間が設けられており、前記第１突起と、前記第１円弧溝において光軸方向で対向する一対の側壁面のうちの少なくとも一方の側壁面との間には、隙間が設けられており、前記第１接着剤は、前記保持筒本体と前記支持筒とを固定しているものとすることができる。このようにすれば、外筒に保持された支持筒に対して保持筒本体を変位可能とすることができるので、保持筒本体に保持された第１レンズ群を変位可能とすることができる。また、第１突起が第１円弧溝に挿入されているので、支持筒に対して保持筒本体を変位させたときに、第１レンズ群を保持する保持筒本体が支持筒から光軸方向に落下することを防止できる。さらに、第１接着剤によって保持筒本体を支持筒に変位不能に固定することにより、第１レンズ群を変位不能とすることができる。
【００１１】
本発明において、前記外筒には前記第１レンズ群保持筒を移動させるヘリコイド機構を有し、前記ヘリコイド機構は、前記支持筒の外周面に設けられた雄ねじと、対向する内周面に設けられて前記雄ねじと螺合する雌ねじと、を備えるものとすることができる。このようにすれば、第１レンズ群の調芯を行った後、フォーカシングなどのために第１レンズ群を光軸方向に移動させることが可能となる。
【００１２】
本発明において、前記第２仮保持機構は、前記最終レンズ群保持筒の外周面において前記外筒に対向する保持筒側外周面部分と、前記外筒の内周面において前記保持筒側外周面部分と対向する外筒側内周面部分と、前記保持筒側外周面部分および前記外筒側内周面部分の一方に設けられて前記光軸回りの周方向に延びる第２円弧溝と、他方に設けられて前記第２円弧溝に挿入された第２突起と、を備え、前記保持筒側外周面部分および前記外筒側内周面部分との間には隙間が設けられており、前記第２円弧溝の底面と前記第２突起の先端との間には、隙間が設けられており、前記光軸方向で対向する前記第２円弧溝の一対の側壁面と前記第２突起とは、接触し、前記第２接着剤は、前記最終レンズ群保持筒と前記外筒とを固定しているものとすることができる。このようにすれば、外筒に対して最終レンズ群保持筒を変位可能とすることができるので、最終レンズ群保持筒に保持された最終レンズ群を変位可能とすることができる。また、第２突起が第２円弧溝に挿入されているので、外筒に対して最終レンズ群保持筒を変位させたときに、最終レンズ群を保持する最終レンズ群保持筒が外筒から光軸方向に落下することを防止できる。さらに、第２円弧溝の一対の側壁面と第２突起とが接触しているので、最終レンズ群保持筒の外筒に対する変位を、光軸と直交する方向のみの規定できる。また、第２接着剤によって最終レンズ群保持筒を外筒に変位不能に固定することにより、最終レンズ群を変位不能とすることができる。
【００１３】
本発明において、前記第２円弧溝は、前記外筒側内周面部分に設けられており、前記第２突起は、前記保持筒側外周面部分に設けられており、前記外筒側内周面部分は、前記第２突起を前記第２円弧溝内に導入するための導入溝を備え、前記導入溝は、前記第２円弧溝の周方向の一部分から前記光軸方向を前記縮小側に向かって延びて前記外筒の前記縮小側の端縁で開口するものとすることができる。このようにすれば、最終レンズ群保持筒に設けられた第２突起を外筒に設けられた第２環状溝に挿入した状態とすることが容易である。
【００１４】
本発明において、前記外筒は、前記光軸と直交する径方向から見た場合に前記最終レンズ群保持筒と重なる部分に前記第２接着剤を注入するための接着剤用貫通穴を備えることが望ましい。このようにすれば、保持筒側外周面に第２接着剤を塗布することが容易なので、最終レンズ保持筒と外筒とを固定することが容易となる。
【００１５】
本発明において、前記外筒は、前記光軸と直交する径方向から見た場合に前記保持筒側外周面部分と重なる部分に調芯ピンを挿入するための調芯ピン用貫通穴を備え、前記保持筒側外周面部分は、前記径方向から見た場合に前記調芯ピン用貫通穴と重なる位置に平坦面を備えることが望ましい。このようにすれば、調芯ピン用貫通穴に挿入した調芯ピンの先端を最終レンズ群保持筒の平坦面に当接させて、最終レンズ保持筒を光軸と直交する方向に移動させることができる。従って、最終レンズ群の調芯を、精度よく行うことができる。
【００１６】
本発明において、前記外筒は、前記縮小側の端縁に周方向に延びる円弧の切欠き部を備え、前記最終レンズ群保持筒は、外周側に突出して前記切欠き部に挿入された凸部を備えることが望ましい。このようにすれば、凸部の先端に指をかけた状態で最終レンズ保持筒を外筒の内周側に縮小側から挿入できる。これにより、外筒の内周側に最終レンズ群保持筒を挿入することが容易となる。
【００１７】
本発明において、前記光軸方向で前記第１レンズ群と前記最終レンズ群との間に位置する中間レンズ群を備え、前記鏡筒は、前記中間レンズ群を外周側から保持する中間レンズ群保持筒と、前記中間レンズ群保持筒と前記外筒との間に位置して当該中間レンズ群保持筒を前記光軸方向に移動可能に支持するカム筒と、備え、前記中間レンズ群保持筒は、外側に突出する案内ピン、を備え、前記カム筒は、周方向に向かって前記光軸方向に傾斜するカム孔を備え、前記外筒は、前記カム筒を光軸回りに回転可能に支持するとともに、その内周面に光軸方向に延びる案内溝を備え、前記案内ピンは、前記カム孔を貫通して前記案内溝の挿入されているものとすることができる。このようにすれば、カム筒を光軸回りに回転させることにより、第１レンズ群と最終レンズ群との間で中間レンズ群を光軸方向に移動させることができる。従って、中間レンズ群の移動によって投写レンズにズーム機能を備えることが容易となる。
【００１８】
本発明において、前記第２仮保持機構は、前記最終レンズ群を、前記光軸方向に変位可能および前記光軸と直交する面に対して傾斜する方向に変位可能とするものとすることができる。このようにすれば、最終レンズ群について、光軸と直交する方向に変位させる調芯（シフト調整）の他に、光軸と直交する面に対して傾斜する方向に変位させる調芯（チルト調芯）および、光軸方向に変位させる調芯（前後調整）を行うことができる。
【００１９】
次に、本発明のプロジェクターは、上記の投写レンズと、画像表示素子と、を有し、前記画像表示素子に表示した画像を投写レンズにより投写することを特徴とする。
【００２０】
本発明によれば、投写レンズにおいて収差の発生が抑制されるので、投写レンズを介して投写した投写画像の解像性能を高めることができる。
【図面の簡単な説明】
【００２１】
【図１】本発明の投写レンズを備えるプロジェクターの概略構成図である。
【図２】投写レンズを投写方向の前方から見た場合の斜視図である。
【図３】投写レンズを投写方向の後方から見た場合の斜視図である。
【図４】投写レンズの分解斜視図である。
【図５】投写レンズを光軸に沿って切断した断面図である。
【図６】第１レンズ群および第１レンズ群保持筒の斜視図である。
【図７】第１レンズ群および第１レンズ群保持筒の断面図である。
【図８】第１レンズ群および第１レンズ群保持筒の分解斜視図である。
【図９】投写レンズの後側部分の部分断面図である。
【図１０】投写レンズの後側部分の分解斜視図である。
【発明を実施するための形態】
【００２２】
以下に図面を参照しながら本発明の実施形態である投写レンズおよびプロジェクターを説明する。
【００２３】
（プロジェクター）
図１は本発明の投写レンズを備えるプロジェクターの概略構成図である。図１に示すように、プロジェクター１は、スクリーンＳに投写する画像光を生成する画像光生成光学系２と、画像光を拡大して投写する投写レンズ３と、画像光生成光学系２の動作を制御する制御部４とを備える。投写レンズ３、画像光生成光学系２、制御部４は、筐体５に収容されている。
【００２４】
（画像光生成光学系および制御部）
画像光生成光学系２は、光源１０、第１インテグレーターレンズ１１、第２インテグレーターレンズ１２、偏光変換素子１３、重畳レンズ１４を備える。光源１０は、例えば、超高圧水銀ランプ、固体光源等で構成される。第１インテグレーターレンズ１１および第２インテグレーターレンズ１２は、アレイ状に配列された複数のレンズ素子をそれぞれ有する。第１インテグレーターレンズ１１は、光源１０からの光束を複数に分割する。第１インテグレーターレンズ１１の各レンズ素子は、光源１０からの光束を第２インテグレーターレンズ１２の各レンズ素子の近傍に集光させる。
【００２５】
偏光変換素子１３は、第２インテグレーターレンズ１２からの光を所定の直線偏光に変換させる。重畳レンズ１４は、第１インテグレーターレンズ１１の各レンズ素子の像を、第２インテグレーターレンズ１２を介して、後述する液晶パネル１８Ｒ、液晶パネル１８Ｇ、および、液晶パネル１８Ｂの表示領域上で重畳させる。
【００２６】
また、画像光生成光学系２は、第１ダイクロイックミラー１５、反射ミラー１６およびフィールドレンズ１７Ｒ、および、液晶パネル１８Ｒを備える。第１ダイクロイックミラー１５は、重畳レンズ１４から入射した光線の一部であるＲ光を反射させ、重畳レンズ１４から入射した光線の一部であるＧ光およびＢ光を透過させる。第１ダイクロイックミラー１５で反射されたＲ光は、反射ミラー１６およびフィールドレンズ１７Ｒを経て、液晶パネル１８Ｒへ入射する。液晶パネル１８Ｒは画像表示素子である。液晶パネル１８ＲはＲ光を画像信号に応じて変調することにより、赤色の画像を形成する。
【００２７】
さらに、画像光生成光学系２は、第２ダイクロイックミラー２１、フィールドレンズ１７Ｇ、および、液晶パネル１８Ｇを備える。第２ダイクロイックミラー２１は、第１ダイクロイックミラー１５からの光線の一部であるＧ光を反射させ、第１ダイクロイックミラー１５からの光線の一部であるＢ光を透過させる。第２ダイクロイックミラー２１で反射されたＧ光は、フィールドレンズ１７Ｇを経て、液晶パネル１８Ｇへ入射する。液晶パネル１８Ｇは画像表示素子である。液晶パネル１８ＧはＧ光を画像信号に応じて変調することにより、緑色の画像を形成する。
【００２８】
また、画像光生成光学系２は、リレーレンズ２２、反射ミラー２３、リレーレンズ２４、反射ミラー２５、およびフィールドレンズ１７Ｂ、および、液晶パネル１８Ｇを備える。第２ダイクロイックミラー２１を透過したＢ光は、リレーレンズ２２、反射ミラー２３、リレーレンズ２４、反射ミラー２５、およびフィールドレンズ１７Ｂを経て、液晶パネル１８Ｂへ入射する。液晶パネル１８Ｂは画像表示素子である。液晶パネル１８ＢはＢ光を画像信号に応じて変調することにより、青色の画像を形成する。
【００２９】
液晶パネル１８Ｒ、液晶パネル１８Ｇ、および、液晶パネル１８Ｂは、クロスダイクロイックプリズム１９を３方向から囲んでいる。クロスダイクロイックプリズム１９は、光合成用のプリズムであり、各液晶パネル１８Ｒ、１８Ｇ、１８Ｂで変調された光を合成して画像光を生成する。
【００３０】
投写レンズ３は、クロスダイクロイックプリズム１９が合成した画像光（各液晶パネル１８Ｒ、１８Ｇ、１８Ｂが形成した画像）をスクリーンＳに拡大して投写する。
【００３１】
ここで、プロジェクター１は、光源１０からの光束の光路と当該光路上に配置された光学部材を内側に収容するフレーム２６を備える。フレーム２６は、クロスダイクロイックプリズム１９が合成した画像光の光路に対応する位置に開口部２７を備える。投写レンズ３はフレーム２６における開口部２７の開口縁部分に固定される。投写レンズ３の詳細は後述する。
【００３２】
制御部４は、ビデオ信号等の外部画像信号が入力される画像処理部６と、画像処理部６から出力される画像信号に基づいて液晶パネル１８Ｒ、液晶パネル１８Ｇおよび液晶パネル１８Ｂを駆動する表示駆動部７とを備える。
【００３３】
画像処理部６は、外部の機器から入力された画像信号を各色の諧調等を含む画像信号に変換する。表示駆動部７は、画像処理部６から出力された各色の画像信号に基づいて液晶パネル１８Ｒ、液晶パネル１８Ｇおよび液晶パネル１８を動作させる。これにより、画像処理部６は、画像信号に対応した画像を液晶パネル１８Ｒ、液晶パネル１８Ｇおよび液晶パネル１８Ｇに表示する。
【００３４】
（投写レンズ）
図２は投写レンズ３を投写方向の前方（拡大側）から見た場合の斜視図である。図３は投写レンズを投写方向の後方（縮小側）から見た場合の斜視図である。図４は本例の投写レンズの分解斜視図である。図５は本発明の投写レンズを光軸に沿って切断した断面図である。図２、図３に示すように、投写レンズ３は、複数枚のレンズＬ１〜Ｌ１５と、これらのレンズＬ１〜Ｌ１５を外周側から保持する鏡筒３１を備える。鏡筒３１は、投写レンズ３の光軸Ｘ方向の途中位置に外周側に突出するフランジ３２を備える。以下の説明では、投写レンズ３の光軸Ｘ方向において、スクリーンＳの側（拡大側）を投写方向の前方Ｘ１とし、クロスダイクロイックプリズム１９の側（縮小側）を投写方向の後方Ｘ２とする。また、光軸Ｘと直交する方向を径方向とする。
【００３５】
図５に示すように、投写レンズ３は１５枚のレンズＬ１〜Ｌ１５を備える。第１レンズＬ１、第２レンズＬ２および第３レンズＬ３は第１レンズ群ＬＧ１を構成している。第１レンズ群ＬＧ１は第１レンズ群保持筒３５に保持されている。第１レンズ群保持筒３５は、第１レンズ群ＬＧ１を保持する保持筒本体３６を備える。
【００３６】
第４レンズＬ４、第５レンズＬ５および第６レンズＬ６は第２レンズ群ＬＧ２を構成している。第２レンズ群ＬＧ２は第２レンズ群保持筒４２に保持されている。第７レンズＬ７、第８レンズＬ８、および第９レンズＬ９は第３レンズ群ＬＧ３を構成している。第３レンズ群ＬＧ３は第３レンズ群保持筒４３に保持されている。第１０レンズＬ１０は第４レンズ群ＬＧ４を構成している。第４レンズ群ＬＧ４は第４レンズ群保持筒４４に保持されている。第１１レンズＬ１１は第５レンズ群ＬＧ５を構成している。第５レンズ群ＬＧ５は第５レンズ群保持筒４５に保持されている。第１２レンズＬ１２、第１３レンズＬ１３、および、第１４レンズＬ１４は第６レンズ群ＬＧ６を構成している。第６レンズ群ＬＧ６は第６レンズ群保持筒４６に保持されている。第１５レンズＬ１５は第７レンズ群ＬＧ７（最終レンズ群）を構成している。第７レンズ群ＬＧ７は第７レンズ群保持筒４７（最終レンズ群保持筒）に保持されている。
【００３７】
第２レンズ群ＬＧ２、第３レンズ群ＬＧ３、第４レンズ群ＬＧ４、第５レンズ群ＬＧ５、および、第６レンズ群ＬＧ６は、それぞれスクリーンＳへの投写サイズを変更するズーム時に光軸Ｘ方向に移動する可動レンズ群である。可動レンズ群を保持する第２〜第６レンズ群保持筒４２〜４６は、それぞれ、径方向の外側に突出する３本の案内ピン４９を備える。各案内ピン４９は、光軸Ｘ回りの等角度間隔で各レンズ群保持筒４２〜４６に取り付けられている。案内ピン４９はネジ５０により各レンズ群保持筒４２〜４６に固定されている。
【００３８】
レンズＬ１〜Ｌ１５を保持する鏡筒３１は、第１〜第７レンズ群保持筒３５、４２〜４７と、第１レンズ群保持筒３５（保持筒本体３６）を外周側および後方Ｘ２から支持する支持筒３７と、カム筒５１と、案内筒５２と、ズーム用リング５３と、を備える。支持筒３７は外周面に雄ねじ３８を備える。支持筒３７は案内筒５２の先端部分に取り付けられている。支持筒３７および案内筒５２は、第１〜第７レンズ群保持筒３５、４２〜４７を外周側から保持する外筒３３を構成する。
【００３９】
ここで、鏡筒３１は第１レンズ群ＬＧ１を変位可能とする第１仮保持機構４０を備える。本例では、第１仮保持機構４０は、第１レンズ群を光軸Ｘと直交する方向、光軸Ｘ方向、および、光軸Ｘと直交する面に対して傾斜する方向に変位可能とする。また、鏡筒３１は、第１レンズ群保持筒３５（保持筒本体３６）と外筒３３とを接着して第１レンズ群ＬＧ１を変位不能とした第１接着剤４１を備える。第１仮保持機構４０および第１接着剤４１の詳細は、後述する。
【００４０】
カム筒５１は、第２〜第６レンズ群保持筒４２〜４６の径方向の外側に位置する。案内筒５２は第１〜第７レンズ群保持筒３５、４２〜４７の外周側に位置するとともに、カム筒５１の外周側に位置する。案内筒５２はカム筒５１を光軸Ｘ回りに回転可能に支持する。ズーム用リング５３は、案内筒５２の前側部分の外周側に配置されている。ズーム用リング５３は光軸Ｘ回りに回転可能な状態で案内筒５２に支持されている。第１〜第７レンズ群保持筒３５、４２〜４７、カム筒５１、案内筒５２、および、ズーム用リング５３は、いずれも樹脂成形品である。
【００４１】
図４に示すように、カム筒５１は、光軸Ｘ回りで等角度間隔に離間する３か所に、それぞれ光軸Ｘ方向に配列された５本のカム孔５４を備える。各カム孔５４は、周方向に向かって光軸Ｘ方向に傾斜する。５本のカム孔５４には、それぞれ可動レンズ群を保持する第２〜第６レンズ群保持筒４２〜４６の案内ピン４９が貫通する。第２〜第６レンズ群保持筒４２〜４６は光軸Ｘ方向に移動可能な状態でカム筒５１に支持されている。
【００４２】
案内筒５２は、筒本体５５と、筒本体５５から外周側に突出するフランジ３２を備える。筒本体５５は、その先端部分の内周面に雌ねじ５６を備える。支持筒３７は、その雄ねじ３８が雌ねじ５６に螺合することにより案内筒５２の保持されている。案内筒５２の雌ねじ５６と支持筒３７の雄ねじ３８とは、第１レンズ群ＬＧ１を光軸Ｘ方向に移動させるヘリコイド機構５７を構成する。ヘリコイド機構５７は、フォーカス時に、支持筒３７および当該支持筒３７に保持された第１レンズ群保持筒３５を回転させることにより、第１レンズ群保持筒３５に保持された第１レンズ群ＬＧ１を光軸Ｘ方向に移動させるものである。また、筒本体５５は、その後端部分に、前側部分と比較して外径寸法が小さい小径筒部分５８を備える。小径筒部分５８は第７レンズ群保持筒４７を固定するための固定部である。
【００４３】
ここで、第７レンズ群ＬＧ７を外周側から保持する鏡筒３１（外筒３３および第７レンズ群保持筒４７）は、第７レンズ群ＬＧ７を変位可能とする第２仮保持機構５９を備える。本例では、第２仮保持機構５９は、第７レンズ群ＬＧ７を径方向に変位可能とする。また、鏡筒３１は、外筒３３（案内筒５２）と第７レンズ群保持筒４７とを接着して第７レンズ群ＬＧ７を変位不能とした第２接着剤６０と、を備える。第２仮保持機構５９および第２接着剤６０の詳細は、後述する。
【００４４】
さらに、筒本体５５は、その先端部分に光軸Ｘと直交する周方向に延びる３本の長孔６１を備える。各長孔６１は光軸Ｘ回りで等角度間隔に設けられている。ここで、ズーム用リング５３は３本の長孔６１を外周側から被う位置に配置されている。また、ズーム用リング５３は、各長孔６１を径方向に貫通する固定ピン６２によりカム筒５１の先端部分に接続されている。従って、案内筒５２に対してズーム用リング５３を回転させると、カム筒５１がズーム用リング５３と一体に回転する。ズーム用リング５３およびカム筒５１は、固定ピン６２が各長孔６１の周方向の一方の端から他方の端まで移動する角度範囲で回転可能である。なお、固定ピン６２はネジ６３によりカム筒５１に固定されている。
【００４５】
また、筒本体５５は、その内周面に、光軸Ｘ方向に延びる３本の案内溝６５を備える。各案内筒５２は光軸Ｘ回りで等角度間隔に離間する３か所に設けられている。案内溝６５には、第２〜第６レンズ群保持筒４２〜４６の案内ピン４９が内周側から挿入される。各案内筒５２は、その前側部分および後側部分のそれぞれに径方向に貫通する貫通部６６を備える。
【００４６】
ここで、第２〜第６レンズ群保持筒４２〜４６に案内ピン４９を設ける方法を説明する。第２〜第６レンズ群保持筒４２〜４６に案内ピン４９を設ける際には、まず、案内筒５２とカム筒５１とを光軸Ｘ回りに相対回転させて、カム筒５１のカム孔５４と案内筒５２の貫通部６６とを径方向で連通させる。次に、案内筒５２の外周側から貫通部６６およびカム孔５４に案内ピン４９を挿入する。その後、カム筒５１の内周側に位置する各レンズ群保持筒４２〜４６のピン固定部に、ネジ５０を用いて、案内ピン４９を固定する。ここで、各案内ピン４９が各レンズ群保持筒４２〜４６に固定されたときに、カム孔５４を貫通してカム筒５１よりも外周側に延びる案内ピン４９の外周側の端は案内溝６５の底面よりも内周側に位置している。
【００４７】
フランジ３２は、案内筒５２の光軸Ｘ方向の途中位置に設けられている。フランジ３２の形成位置は、鏡筒３１の前端および後端よりも、投写レンズ３の重心Ｇに近い。また、フランジ３２の形成位置は、カム筒５１に設けられた複数のカム孔５４のうち最も後方Ｘ２（縮小側）に位置するカム孔５４（５）よりも前方Ｘ１に位置し、当該カム孔５４（５）よりも重心Ｇに近い。本例では、フランジ３２は、投写レンズ３の重心Ｇよりも後方Ｘ２に位置する。また、フランジ３２は、各案内溝６５の貫通部６６とは、光軸Ｘ方向で異なる位置に設けられている。すなわち、フランジ３２は、光軸Ｘ方向で、各案内溝６５の前側部分に設けられた貫通部６６と後側部分に設けられた貫通部６６との間に位置する。なお、投写レンズ３の重心Ｇは、ズーム時の可動レンズ群の移動に伴って光軸Ｘ方向に移動するものである。
【００４８】
図２、図３に示すように、案内筒５２を光軸Ｘ方向から見た場合の輪郭形状は円形であり、フランジ３２を光軸Ｘ方向から見た場合の輪郭形状は矩形である。矩形輪郭のフランジ３２の４つの各角部分６８には、それぞれ光軸Ｘ方向に貫通する固定孔６９が設けられている。フランジ３２の各角部分６８は、光軸Ｘ回りで各案内溝６５とは異なる角度位置に配置されている。従って、フランジ３２の固定孔６９と、各案内筒５２の貫通部６６とは光軸Ｘ回りで異なる角度位置に設けられている。
【００４９】
投写レンズ３は、図１、図５に示すように、フレーム２６の開口部２７の開口縁部分に固定される。すなわち、投写レンズ３は、投写レンズ３におけるフランジ３２よりも後側部分を開口部２７に挿入して、フレーム２６の開口縁部分にフランジ３２を当接させた姿勢とされる。そして、フランジ３２の固定孔６９を利用して、ネジにより、フレーム２６に固定される。
【００５０】
プロジェクター１による投写倍率を変化させる際には、ズーム用リング５３を回転させる。ズーム用リング５３が回転すると、カム筒５１がズーム用リング５３と一体に回転する。カム筒５１が回転すると、案内ピン４９がカム孔５４に挿入されている第２〜第６レンズ群保持筒４２〜４６は、それぞれカム筒５１と一体に光軸Ｘ回りに回転しようとする。ここで、案内ピン４９は、その外周側の端部分が案内筒５２の案内溝６５に挿入されている。この結果、第２〜第６レンズ群保持筒４２〜４６は、カム孔５４および案内筒５２に沿って光軸Ｘ方向に移動する。従って、ズーム用リング５３を回転させると、第２〜第６レンズ群保持筒４２〜４６に保持された可動レンズ群（第２レンズ群ＬＧ２、第３レンズ群ＬＧ３、第４レンズ群ＬＧ４、第５レンズ群ＬＧ５、および、第６レンズ群ＬＧ６）が光軸Ｘ方向に移動して、投写倍率を変化させる。
【００５１】
また、プロジェクター１のフォーカシングを行う場合には、外筒３３の支持筒３７と支持筒３７に保持された第１レンズ群保持筒３５を回転させる。ここで、支持筒３７の雄ねじ３８と案内筒５２の雌ねじ５６はヘリコイド機構５７を構成している。従って、支持筒３７および第１レンズ群保持筒３５を回転させると、第１レンズ群保持筒３５に保持された第１レンズ群ＬＧ１が光軸Ｘ方向に移動する。これによりフォーカシングを行うことができる。
【００５２】
（第１仮保持機構および第１接着剤）
次に、図６から図８を参照して第１仮保持機構４０を説明する。図６の上段の図は第１レンズ群ＬＧ１および第１レンズ群保持筒３５を前方Ｘ１から見た場合の斜視図であり、下段の図は第１レンズ群ＬＧ１および第１レンズ群保持筒３５を後方Ｘ２から見た場合の斜視図である。図７は第１レンズ群ＬＧ１および第１レンズ群保持筒３５の断面図である。図８の上段の図は第１レンズ群ＬＧ１および第１レンズ群保持筒３５を前方Ｘ１から見た場合の分解斜視図であり、下段の図は第１レンズ群ＬＧ１および第１レンズ群保持筒３５を後方Ｘ２から見た場合の分解斜視図である。
【００５３】
まず、第１レンズ群保持筒３５は、第１レンズ群ＬＧ１を保持する保持筒本体３６を備える。また、外筒３３は、保持筒本体３６を外周側から保持する支持筒３７を備える。
【００５４】
第１仮保持機構４０は、図７、図８に示すように、保持筒本体３６の外周面において支持筒３７と対向する保持筒本体側外周面部分７３と、支持筒３７の内周面において保持筒本体側外周面部分７３と対向する支持筒側内周面部分７４とを備える。また、第１仮保持機構４０は、保持筒本体側外周面部分７３に設けられて光軸Ｘ回りの周方向に延びる第１円弧溝７５と、支持筒側内周面部分７４に設けられて第１円弧溝７５に挿入された第１突起７６と、を備える。第１円弧溝７５は、保持筒本体側外周面部分７３において、光軸Ｘ回りで等角度間隔に離間する３か所に設けられている。第１突起７６は、支持筒側内周面部分７４から内周側に突出する。第１突起７６は、支持筒側内周面部分７４において、光軸Ｘ回りで等角度間隔に離間する３か所に設けられている。なお、本例では、図８の下段の図に示すように、保持筒本体側外周面部分７３は、前方Ｘ１から後方Ｘ２に向かって大径部分７３ａと、大径部分７３ａよりも外径寸法の小さい小径部分７３ｂを備えている。第１円弧溝７５は、大径部分７３ａにおいて小径部分７３ｂの外周側で後方を向く環状の後端面７３ｃの周方向の一部分と、小径部分７３ｂから外周側に突出する溝形成用リブ７３ｄによって区画されている。溝形成用リブ７３ｄの外周側の端は大径部分７３ａの外周面よりも内周側に位置する。
【００５５】
また、保持筒本体側外周面部分７３には、図８の下段の図に示すように、第１突起７６を第１円弧溝７５内に導入するための導入部７７が設けられている。導入部７７は、第１円弧溝７５の周方向の一部分に設けられた切欠き部７７ａを備える。また、導入部７７は、第１突起７６を切欠き部７７ａに案内するための導入リブ７７ｂを備える。導入リブ７７ｂは第１円弧溝７５から後方Ｘ２に延びている。保持筒本体３６の導入部７７および第１円弧溝７５は、支持筒３７の第１突起７６とともに、第１バヨネット機構７８を構成する。従って、導入部７７と第１突起７６との光軸Ｘ回りの角度位置を一致させて保持筒本体３６と支持筒３７とを接近する方向に移動させ、しかる後に保持筒本体３６と支持筒３７とを光軸Ｘ回りに相対回転させると、第１突起７６を第１円弧溝７５に容易に挿入できる。また、これにより、保持筒本体３６が支持筒３７から光軸Ｘ方向に落下することを防止できる。
【００５６】
ここで、図７に示すように、保持筒本体側外周面部分７３（大径部分７３ａ）と支持筒側内周面部分７４との間には、隙間Ｓ１が設けられている。すなわち、保持筒本体側外周面部分７３（大径部分７３ａ）の外径寸法は、支持筒側内周面部分７４の内径寸法よりも僅かに短く、保持筒本体側外周面部分７３と支持筒側内周面部分７４とを対向させたときに、これらの間には隙間Ｓ１が形成される。また、少なくとも一つの第１円弧溝７５の底面７５ａと、当該第１円弧溝７５に挿入された第１突起７６の先端との間には隙間Ｓ２が設けられている。さらに、第１円弧溝７５の光軸Ｘ方向の幅寸法は、第１突起７６の前記光軸Ｘ方向の厚み寸法よりも長い。従って、第１突起７６と、第１円弧溝７５において光軸Ｘ方向で対向する一対の側壁面７５ｂのうちの少なくとも一方の側壁面との間には、隙間Ｓ３が設けられている。
【００５７】
これらの隙間Ｓ１、隙間Ｓ２、隙間Ｓ３により、保持筒本体３６はガタを持って支持筒３７に支持される。従って、第１レンズ群ＬＧ１を保持する保持筒本体３６は外筒３３（案内筒５２に保持された支持筒３７）に対して変位可能となっている。よって、投写レンズ３の製造工程において、第１レンズ群ＬＧ１について、光軸Ｘと直交する方向に変位させる調芯（シフト調整）、光軸Ｘと直交する面に対して傾斜する方向に変位させる調芯（チルト調芯）、および、光軸Ｘ方向に変位させる調芯（前後調整）を行うことができる。
【００５８】
第１接着剤４１は、保持筒本体側外周面部分７３の外周面に塗布されて、保持筒本体３６（第１レンズ群保持筒３５）と支持筒３７（外筒３３）とを接着固定している。第１接着剤４１は紫外線硬化型の接着剤である。第１接着剤４１は、第１レンズ群ＬＧ１の調芯の終了後に硬化した状態とされ、保持筒本体３６と支持筒３７とを固定する。これにより、調芯した第１レンズ群ＬＧ１が、それ以降に変位することを防止する。
【００５９】
（第２仮保持機構および第２接着剤）
次に、図９、図１０を参照して第２仮保持機構５９を説明する。図９は投写レンズ３の後側部分の部分断面図である。図１０の上段の図は投写レンズ３の後側部分の後側部分、第７レンズ群ＬＧ７および第７レンズ群保持筒４７を前方Ｘ１から見た場合の分解斜視図であり、下段の図は案内筒５２の後側部分、第７レンズ群ＬＧ７および第７レンズ群保持筒４７を後方Ｘ２から見た場合の分解斜視図である。
【００６０】
第７レンズ群保持筒４７は、図９に示すように、そのほぼ全体が、案内筒５２の小径筒部分５８の内周側に位置した状態で、案内筒５２（外筒３３）に支持される。図１０に示すように、小径筒部分５８は、後端縁に周方向に延びる円弧の切欠き部８１を備える。切欠き部８１は、小径筒部分５８において、光軸Ｘ回りで等角度間隔に離間する３か所に設けられている。また、小径筒部分５８は、径方向から見た場合に第７レンズ群保持筒４７と重なる部分に第２接着剤６０を注入するための接着剤用貫通穴８２を備える。接着剤用貫通穴８２は、複数、設けられている。さらに、小径筒部分５８は、径方向から見た場合に第７レンズ群保持筒４７と重なる部分に調芯ピン（不図示）を挿入するための調芯ピン用貫通穴８３を備える。調芯ピン用貫通穴８３は、小径筒部分５８において、光軸Ｘ回りで等角度間隔に離間する３か所に設けられている。
【００６１】
第２仮保持機構５９は、図９に示すように、第７レンズ群保持筒４７の外周面において案内筒５２の小径筒部分５８と対向する保持筒側外周面部分８５と、小径筒部分５８の内周面において保持筒側外周面部分８５と対向する案内筒側内周面部分８６（外筒側内周面部分）とを備える。また、第２仮保持機構５９は、案内筒側内周面部分８６に設けられて光軸Ｘ回りの周方向に延びる第２円弧溝８７と、保持筒側外周面部分８５に設けられて第２円弧溝８７に挿入された第２突起８８と、を備える。第２円弧溝８７は、案内筒側内周面部分８６において、光軸Ｘ回りで等角度間隔に離間する３か所に設けられている。第２突起８８は、保持筒側外周面部分８５から外周側に突出する。第２突起８８は、保持筒側外周面部分８５において、光軸Ｘ回りで等角度間隔に離間する３か所に設けられている。
【００６２】
図１０の下段の図に示すように、案内筒側内周面部分８６には、第２突起８８を第２円弧溝８７内に導入するための導入溝８９が設けられている。導入溝８９は、第２円弧溝８７の周方向の一部分から光軸Ｘ方向を後方Ｘ２に向かって延びて小径筒部分５８の後端縁で開口する。案内筒５２の導入溝８９および第２円弧溝８７は、第７レンズ群保持筒４７の第２突起８８とともに、第２バヨネット機構９０を構成する。従って、導入溝８９と第２突起８８との光軸Ｘ回りの角度位置を一致させて第７レンズ群保持筒４７と小径筒部分５８とを接近する方向に移動させ、しかる後に第７レンズ群保持筒４７と小径筒部分５８とを光軸Ｘ回りに相対回転させると、第２突起８８を第２円弧溝８７に容易に挿入できる。また、これにより、第７レンズ群保持筒４７が小径筒部分５８から光軸Ｘ方向に落下することが防止される。
【００６３】
図９に示すように、保持筒側外周面部分８５と案内筒側内周面部分８６との間には、隙間Ｓ４が設けられている。すなわち、保持筒側外周面部分８５の外径寸法は、案内筒側内周面部分８６の内径寸法よりも僅かに短く、保持筒側外周面部分８５と案内筒側内周面部分８６とを対向させたときに、これらの間には隙間Ｓ４が形成される。また、少なくとも一つの第２円弧溝８７の底面８７ａと、当該第２円弧溝８７に挿入された第２突起８８の先端との間にも隙間Ｓ５が設けられている。一方、第２突起８８と、第２円弧溝８７において光軸Ｘ方向で対向する一対の側壁面８７ｂとは、接触しており、これらの間に隙間はない。
【００６４】
これらの隙間Ｓ４、隙間Ｓ５により、第７レンズ群保持筒４７は、光軸Ｘと直交する方向にガタを持って小径筒部分５８に保持される。また、第２突起８８と第２円弧溝８７の一対の側壁面８７ｂとが接触しているので、第７レンズ群保持筒４７は、光軸Ｘ方向にはガタつくことなく、小径筒部分５８に保持される。従って、第７レンズ群ＬＧ７を保持する第７レンズ群保持筒４７は、案内筒５２の小径筒部分５８に対して、光軸Ｘと直交する方向にのみ変位可能となっている。よって、投写レンズ３の製造工程において、第７レンズ群ＬＧ７について、光軸Ｘと直交する方向に変位させる調芯（シフト調整）を行うことができる。
【００６５】
ここで、第７レンズ群保持筒４７は、外周側に突出して案内筒５２（小径筒部分５８）の切欠き部８１に挿入された凸部９１を備える（図３参照）。凸部９１は第７レンズ群保持筒４７において、光軸Ｘ回りで等角度間隔に離間する３か所に設けられている。凸部９１は、第７レンズ群保持筒４７の後端部分に設けられている。
【００６６】
また、第７レンズ群保持筒４７は、保持筒側外周面部分８５において、径方向から見た場合に案内筒５２（小径筒部分５８）の調芯ピン用貫通穴８３と重なる位置に平坦面９２を備える。
【００６７】
第２接着剤６０は、小径筒部分５８の接着剤用貫通穴８２から第７レンズ群保持筒４７の保持筒側外周面部分８５に塗布されて、第７レンズ群保持筒４７と外筒３３における案内筒５２の小径筒部分５８とを接着固定している。第２接着剤６０は紫外線硬化型の接着剤である。第２接着剤６０は、第７レンズ群ＬＧ７の調芯の終了後に硬化した状態とされ、第７レンズ群保持筒４７と小径筒部分５８とを固定する。これにより、調芯した第７レンズ群ＬＧ７が、それ以降に変位することを防止する。
【００６８】
（調芯動作）
第１レンズ群ＬＧ１および第７レンズ群ＬＧ７の調芯を行う際には、まず、鏡筒３１に各レンズ群ＬＧ１〜ＬＧ７を保持する。すなわち、案内筒５２およびカム筒５１の内周側に第２〜第６レンズ群ＬＧ２〜ＬＧ６を配置する。また、ヘリコイド機構５７を介して、支持筒３７を案内筒５２に保持して、外筒３３を構成する。さらに、第１レンズ群保持筒３５の保持筒本体３６を、第１バヨネット機構７８を介して、支持筒３７に保持する。保持筒本体３６を支持筒３７に保持する際に、第１仮保持機構４０を構成する保持筒本体３６の保持筒側外周面部分８５には、第１接着剤４１が塗布される。さらに、図９に示すように、第７レンズ群ＬＧ７を保持する第７レンズ群保持筒４７を、第２バヨネット機構９０を介して案内筒５２の小径筒部分５８に保持する。第７レンズ群保持筒４７を小径筒部分５８に保持する際には、接着剤用貫通穴８２を介して第７レンズ群保持筒４７の保持筒側外周面部分８５に第２接着剤６０が塗布される。
【００６９】
ここで、本例では、第７レンズ群保持筒４７のほぼ全体が小径筒部分５８に保持されるので、作業者が保持筒側外周面部分８５を持って第７レンズ群保持筒４７を小径筒部分５８に挿入することは容易ではない。このような問題に対して、第７レンズ群保持筒４７は保持筒側外周面部分８５から突出する凸部９１を備え、小径筒部分５８は後端縁に切欠き部８１を備える。従って、作業者は、凸部９１の先端に指をかけた状態で第７レンズ保持筒を後方Ｘ２から小径筒部分５８の内周側に挿入することができる。また、凸部９１を切欠き部８１に後方Ｘ２から進入させることにより、第７レンズ群保持筒４７のほぼ全体を小径筒部分５８の内周側に位置させることができる。よって、小径筒部分５８に第７レンズ群保持筒４７を挿入することが容易である。
【００７０】
次に、投写レンズ３を調芯装置にセットして、投写調芯を行う。すなわち、調芯用スクリーンに投写レンズ３を介して調芯用画像を投写する。そして、治具により第１レンズ群保持筒３５の保持筒本体３６を把持し、調芯用スクリーンに投写された投写画像に基づいて、支持筒３７に対して保持筒本体３６を変位させる。これにより、第１レンズ群ＬＧ１を光軸Ｘと直交する方向に変位させる調芯（シフト調整）、光軸Ｘと直交する面に対して傾斜する方向に変位させる調芯（チルト調芯）、および、光軸Ｘ方向に変位させる調芯（前後調整）を行う。
【００７１】
また、案内筒５２の小径筒部分５８の外周側から調芯ピン用貫通穴８３に調芯ピンを挿入して、調芯ピンの先端を第７レンズ群保持筒４７の保持筒外周面部分の平坦面９２に当接させる。そして、調芯用スクリーンに投写された投写画像に基づいて、３本の調芯ピンを進退させて、案内筒５２に対して第７レンズ群保持筒４７を変位させる。これにより、第７レンズ群ＬＧ７を光軸Ｘと直交する方向に変位させる調芯（シフト調整）を行う。
【００７２】
その後、投写レンズ３に紫外線を照射して、第１接着剤４１および第２接着剤６０を硬化させる。これにより、保持筒本体３６を支持筒３７に対して変位不能に固定し、第１レンズ群ＬＧ１を変位不能とする。また、第７レンズ群ＬＧ７保持を案内筒５２に対して変位不能に固定する。これにより、第１レンズ群ＬＧ１および第７レンズ群ＬＧ７を変位不能に固定し、第７レンズ群ＬＧ７を変位不能とする。
【００７３】
（作用効果）
本例では、鏡筒３１が、第１レンズ群ＬＧ１の変位を可能とする第１仮保持機構４０と、第７レンズ群ＬＧ７の変位を可能とする第２仮保持機構５９とを備える。従って、投写レンズ３は、その製造工程において、第１レンズ群ＬＧ１を変位させる調芯と、第７レンズ群ＬＧ７を変位させる調芯とを行うことができる。これにより、第１レンズ群ＬＧ１のみを変位させて調芯を行う場合と比較して、収差の発生を抑制することが可能となる。また、鏡筒３１は、第１レンズ群保持筒３５と外筒３３とを接着して第１レンズ群ＬＧ１を変位不能に固定した第１接着剤４１と、第７レンズ群保持筒４７と外筒３３とを接着して第７レンズ群ＬＧ７を変位不能に固定した第２接着剤６０とを備える。従って、調芯を行った後に、第１レンズ群ＬＧ１および第７レンズ群ＬＧ７が変位することを防止できる。ここで、第７レンズ群ＬＧ７を光軸Ｘと直交する方向に変位させる調芯（シフト調整）を行えば、投写する画像の中心付近の解像性能を向上させることができる。
【００７４】
また、本例では、第１仮保持機構４０は、第１レンズ群ＬＧ１を、光軸Ｘ方向に変位可能および光軸Ｘと直交する面に対して傾斜する方向に変位可能とする。従って、第１レンズ群ＬＧ１について、光軸Ｘと直交する方向に変位させる調芯（シフト調整）、光軸Ｘと直交する面に対して傾斜する方向に変位させる調芯（チルト調芯）、および、光軸Ｘ方向に変位させる調芯（前後調整）を行うことができる。また、第１レンズ群ＬＧ１に対してこれらの調芯を行えば、投写画像の像面倒れの発生の抑制でき、解像性能を向上させることができる。
【００７５】
さらに、本例では、第１レンズ群保持筒３５（保持筒本体３６）が第１バヨネット機構７８を介して支持筒３７に保持されている。従って、第１突起７６を第１円弧溝７５に挿入することが容易である。また、第１突起７６が第１円弧溝７５に挿入されていれば、支持筒３７に対して保持筒本体３６を変位させたときに、第１レンズ群ＬＧ１を保持する保持筒本体３６が支持筒３７から光軸Ｘ方向に落下することを防止できる。
【００７６】
また、本例では、外筒３３に、案内筒５２に対して支持筒３７を移動させるヘリコイド機構５７を備える。従って、第１レンズ群ＬＧ１の調芯を行った後、フォーカシングなどのために第１レンズ群ＬＧ１を光軸Ｘ方向に移動させることができる。
【００７７】
さらに、本例では、第７レンズ群保持筒４７が第２バヨネット機構９０を介して案内筒５２の小径筒部分５８に保持されている。従って、第２突起８８を第２円弧溝８７に挿入することが容易である。また、第２突起８８が第２円弧溝８７に挿入されていれば、案内筒５２に対して第７レンズ群保持筒４７を変位させたときに、第７レンズ群ＬＧ７を保持する第７レンズ群保持筒４７が案内筒５２から光軸Ｘ方向に落下することを防止できる。さらに、第２バヨネット機構９０では、第７レンズ群保持筒４７に設けた第２突起８８が案内筒５２に設けた第２円弧溝８７の一対の側壁面に接触しているので、第７レンズ群保持筒４７の案内筒５２に対する変位を光軸Ｘと直交する方向のみの規定できる。
【００７８】
また、本例では、案内筒５２の小径筒部分５８は、径方向から見た場合に第７レンズ群保持筒４７と重なる部分に第２接着剤６０を注入するための接着剤用貫通穴８２を備える。これにより、第７レンズ群保持筒４７の保持筒側外周面部分８５に第２接着剤６０を塗布することが容易となる。従って、第７レンズ群保持筒４７と案内筒５２とを固定することが容易である。
【００７９】
また、案内筒５２は、径方向から見た場合に保持筒側外周面部分８５と重なる部分に調芯ピンを挿入するための調芯ピン用貫通穴８３を備え、保持筒側外周面部分８５は、径方向から見た場合に調芯ピン用貫通穴８３と重なる位置に平坦面９２を備える。従って、調芯ピン用貫通穴８３に挿入した調芯ピンの先端を第７レンズ群保持筒４７の平坦面９２に当接させて、第７レンズ群保持筒４７を光軸Ｘと直交する方向に移動させることができる。従って、第７レンズ群ＬＧ７の調芯を、精度よく行うことができる。
【００８０】
また、本例のプロジェクターでは、投写レンズ３において収差の発生が抑制されるので、投写レンズ３を介して投写した投写画像の解像性能を高めることができる。
【００８１】
（変形例）
第１仮保持機構４０は、保持筒本体３６の外周面において支持筒３７と対向する保持筒本体側外周面部分７３に外周側に突出する第１突起７６を備え、支持筒３７の支持筒側内周面部分７４に第１円弧溝７５および溝状の導入部７７を備え、第１突起７６が第１円弧溝７５に挿入されている構成としてもよい。また、第２仮保持機構５９は、第７レンズ群保持筒４７の保持筒側外周面部分８５に第２円弧溝８７と導入溝８９を備え、案内筒５２の案内筒側内周面部分８６に内周側に突出する第２突起８８を備え、第１突起７６が第１円弧溝７５に挿入されている構成としてもよい。
【００８２】
また、第２仮保持機構５９において、第７レンズ群ＬＧ７について、光軸Ｘと直交する方向に変位させる調芯（シフト調整）に加えて、光軸Ｘと直交する面に対して傾斜する方向に変位させる調芯（チルト調芯）、および、光軸Ｘ方向に変位させる調芯（前後調整）を可能としてもよい。この場合には、第２円弧溝８７の光軸Ｘ方向の幅寸法を、第２突起８８の前記光軸Ｘ方向の厚み寸法よりも長く設定する。これにより、第２突起８８と、第２円弧溝８７において光軸Ｘ方向で対向する一対の側壁面８７ｂのうちの少なくとも一方の側壁面８７ｂとの間に隙間を設ける。
【符号の説明】
【００８３】
１…プロジェクター、２…画像光生成光学系、３…投写レンズ、４…制御部、５…筐体、６…画像処理部、７…表示駆動部、１０…光源、１１…第１インテグレーターレンズ、１２…第２インテグレーターレンズ、１３…偏光変換素子、１４…重畳レンズ、１５…第１ダイクロイックミラー、１６…反射ミラー、１７Ｂ…フィールドレンズ、１７Ｇ…フィールドレンズ、１７Ｒ…フィールドレンズ、１８…液晶パネル、１８Ｂ…液晶パネル（画像表示素子）、１８Ｇ…液晶パネル、１８Ｒ…液晶パネル、１９…クロスダイクロイックプリズム、２１…第２ダイクロイックミラー、２２…リレーレンズ、２３…反射ミラー、２４…リレーレンズ、２５…反射ミラー、２６…フレーム、２７…開口部、３１…鏡筒、３２…フランジ、３３…外筒、３５…第１レンズ群保持筒、３６…保持筒本体、３７…支持筒、３８…雄ねじ、４０…第１仮保持機構、４１…第１接着剤、４２…第２レンズ群保持筒、４３…第３レンズ群保持筒、４４…第４レンズ群保持筒、４５…第５レンズ群保持筒、４６…第６レンズ群保持筒、４７…第７レンズ群保持筒、４９…案内ピン、５０…ネジ、５１…カム筒、５２…案内筒、５３…ズーム用リング、５４…カム孔、５５…筒本体、５６…雌ねじ、５７…ヘリコイド機構、５８…小径筒部分、５９…第２仮保持機構、６０…第２接着剤、６１…長孔、６２…固定ピン、６３…ネジ、６５…案内溝、６６…貫通部、６８…角部分、６９…固定孔、７３…保持筒本体側外周面部分、７３ａ…大径部分、７３ｂ…小径部分、７３ｃ…後端面、７３ｄ…溝形成用リブ、７４…支持筒側内周面部分、７５…第１円弧溝、７５ａ…底面、７５ｂ…側壁面、７６…第１突起、７７…導入部、７７ａ…切欠き部、７７ｂ…導入リブ、７８…第１バヨネット機構、８１…切欠き部、８２…接着剤用貫通穴、８３…調芯ピン用貫通穴、８５…保持筒側外周面部分、８６…案内筒側内周面部分（外筒側内周面部分）、８７…第２円弧溝、８７ａ…底面、８７ｂ…側壁面、８８…第２突起、８９…導入溝、９０…第２バヨネット機構、９１…凸部、９２…平坦面、Ｌ１〜Ｌ１５…レンズ、ＬＧ１〜ＬＧ７…レンズ群、Ｓ１…隙間、Ｓ２…隙間、Ｓ３…隙間、Ｓ４…隙間、Ｓ５…隙間、Ｘ…光軸、Ｘ１…投写方向の前方（拡大側）、Ｘ２…投写方向の後方（縮小側）。
【図１】
2019132942.tif 000003
【図２】
2019132942.tif 000004
【図３】
2019132942.tif 000005
【図４】
2019132942.tif 000006
【図５】
2019132942.tif 000007
【図６】
2019132942.tif 000008
【図７】
2019132942.tif 000009
【図８】
2019132942.tif 000010
【図９】
2019132942.tif 000011
【図１０】
2019132942.tif 000012